【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光の偏光状態と、第４領域を通過した第４領域通過光の偏光状態とは異なり、
第１領域通過光は第３領域を通過して撮像素子に到達し、第２領域通過光は第４領域を通過して撮像素子に到達し、以て、第１領域の重心点と第２領域の重心点との間の距離を両眼視差の基線長さとした立体画像を得るための画像を撮像する撮像装置。
【請求項２】
第１偏光手段はレンズ系の絞り部近傍に配置されている請求項１に記載の撮像装置。
【請求項３】
第１偏光手段において、第１領域と第２領域との間には中央領域が設けられており、
中央領域を通過した中央領域通過光の偏光状態は、中央領域入射前と変化しない請求項１に記載の撮像装置。
【請求項４】
第１領域及び第２領域は偏光子から成り、
第１領域通過光の電場の向きと第２領域通過光の電場の向きとは直交している請求項１に記載の撮像装置。
【請求項５】
第１領域通過光の電場の向きは第１の方向と平行である請求項４に記載の撮像装置。
【請求項６】
第１領域通過光の電場の向きは第１の方向と４５度の角度を成す請求項４に記載の撮像装置。
【請求項７】
第１領域通過光の電場の向きと第３領域通過光の電場の向きとは平行であり、
第２領域通過光の電場の向きと第４領域通過光の電場の向きとは平行である請求項４に記載の撮像装置。
【請求項８】
偏光子の消光比は３以上である請求項４に記載の撮像装置。
【請求項９】
撮像素子は、カラーフィルタ、オンチップレンズ、及び、ワイヤグリッド偏光子が積層されて成り、
ワイヤグリッド偏光子が第３領域又は第４領域を構成する請求項４に記載の撮像装置。
【請求項１０】
撮像素子は、ワイヤグリッド偏光子、カラーフィルタ、及び、オンチップレンズが積層されて成り、
ワイヤグリッド偏光子が第３領域又は第４領域を構成する請求項４に記載の撮像装置。
【請求項１１】
ワイヤグリッド偏光子を構成する複数のワイヤの延びる方向は、第１の方向あるいは第２の方向と平行である請求項９に記載の撮像装置。
【請求項１２】
第１偏光手段の光入射側には、四分の一波長板が配置されている請求項１に記載の撮像装置。
【請求項１３】
第１偏光手段の光入射側には、四分の一波長板が配置されており、
四分の一波長板の速軸は、第１領域通過光の電場の向きと所定の角度を成す請求項５に記載の撮像装置。
【請求項１４】
四分の一波長板は、第１の方向あるいは第２の方向に沿って配列された第１の四分の一波長板及び第２の四分の一波長板から成り、
第１の四分の一波長板の速軸は、第１領域通過光の電場の向きと所定の角度を成し、
第２の四分の一波長板の速軸は、第１の四分の一波長板の速軸と直交している請求項５に記載の撮像装置。
【請求項１５】
所定の角度は４５度である請求項１３に記載の撮像装置。
【請求項１６】
第１領域通過光の電場の向きと第３領域通過光の電場の向きとは平行であり、
第２領域通過光の電場の向きと第４領域通過光の電場の向きとは平行である請求項１３に記載の撮像装置。
【請求項１７】
第１偏光手段はレンズ系に脱着自在に取り付けられており、
四分の一波長板はレンズ系に脱着自在に取り付けられている請求項１３に記載の撮像装置。
【請求項１８】
四分の一波長板は第１偏光手段に隣接して配設されている請求項１３に記載の撮像装置。
【請求項１９】
第１偏光手段の光入射側には、α度の偏光軸を有する偏光板が配置されており、
第１領域は第１波長板から成り、第２領域は第２波長板から成り、
第１領域通過光の電場の向きと第２領域通過光の電場の向きとは直交している請求項１に記載の撮像装置。
【請求項２０】
αの値は４５度であり、
第１波長板は半波長板から成り、
第２波長板は、第１波長板を構成する半波長板とは位相差の異なる半波長板から成る請求項１９に記載の撮像装置。
【請求項２１】
撮像素子アレイはベイヤ配列を有し、１画素は４つの撮像素子から構成されており、
１画素に対して、１つの第３領域又は第４領域が配されている請求項１に記載の撮像装置。
【請求項２２】
第１の方向に沿ってＮ個の画素（但し、Ｎ＝２nであり、ｎは１乃至５の自然数）に対して１つの第３領域及び１つの第４領域を配する請求項１に記載の撮像装置。
【請求項２３】
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光の偏光状態と、第４領域を通過した第４領域通過光の偏光状態とは異なり、
第１領域通過光は第３領域を通過して撮像素子に到達し、第２領域通過光は第４領域を通過して撮像素子に到達し、以て、第１領域の重心点と第２領域の重心点との間の距離を両眼視差の基線長さとした立体画像を得るための画像を撮像する撮像装置を用いた撮像方法であって、
第３領域を通過して撮像素子に到達した第１領域通過光によって、右眼用画像を得るための電気信号を撮像素子において生成し、
第４領域を通過して撮像素子に到達した第２領域通過光によって、左眼用画像を得るための電気信号を撮像素子において生成し、
これらの電気信号を出力する撮像方法。
【請求項２４】
第１の方向に沿ってＮ個の画素（但し、Ｎ＝２nであり、ｎは１乃至５の自然数）に対して１つの第３領域及び１つの第４領域を配する請求項２３に記載の撮像方法。
【請求項２５】
第３領域を通過した第１領域通過光によって得られる電気信号及び第４領域を通過した第２領域通過光によって得られる電気信号から生成されたデプスマップ、並びに、撮像素子アレイを構成する全撮像素子からの電気信号に基づき、右眼用画像を得るための画像データ、及び、左眼用画像を得るための画像データを得る請求項２４に記載の撮像方法。
【請求項２６】
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光は偏光状態にあり、第４領域を通過した第４領域通過光は非偏光状態にあり、
第１領域通過光は第３領域を通過して撮像素子に到達し、第１領域通過光及び第２領域通過光は第４領域を通過して撮像素子に到達し、以て、第１領域の重心点と第１偏光手段の重心点との間の距離を両眼視差の基線長さとした立体画像を得るための画像を撮像する撮像装置。
【請求項２７】
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光は偏光状態にあり、第４領域を通過した第４領域通過光は非偏光状態にあり、
第１領域通過光は第３領域を通過して撮像素子に到達し、第１領域通過光及び第２領域通過光は第４領域を通過して撮像素子に到達し、以て、第１領域の重心点と第１偏光手段の重心点との間の距離を両眼視差の基線長さとした立体画像を得るための画像を撮像する撮像装置を用いた撮像方法であって、
第３領域を通過して撮像素子に到達した第１領域通過光によって、右眼用及び左眼用のいずれか一方の画像を得るための電気信号を撮像素子において生成し、
第４領域を通過して撮像素子に到達した第１領域通過光及び第２領域通過光によって、右眼用及び左眼用のいずれか他方の画像を得るための電気信号を撮像素子において生成し、
これらの電気信号を出力する撮像方法。
【手続補正２】
【補正対象書類名】明細書
【補正対象項目名】０００８
【補正方法】変更
【補正の内容】
【０００８】
上記の目的を達成するための本開示の第１の態様に係る撮像装置は、
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光の偏光状態と、第４領域を通過した第４領域通過光の偏光状態とは異なり、
第１領域通過光は第３領域を通過して撮像素子に到達し、第２領域通過光は第４領域を通過して撮像素子に到達し、以て、第１領域の重心点と第２領域の重心点との間の距離を両眼視差の基線長さとした立体画像を得るための画像を撮像する。
【手続補正３】
【補正対象書類名】明細書
【補正対象項目名】００１０
【補正方法】変更
【補正の内容】
【００１０】
上記の目的を達成するための本開示の第２の態様に係る撮像装置は、
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光は偏光状態にあり、第４領域を通過した第４領域通過光は非偏光状態にあり、
第１領域通過光は第３領域を通過して撮像素子に到達し、第１領域通過光及び第２領域通過光は第４領域を通過して撮像素子に到達し、以て、第１領域の重心点と第１偏光手段の重心点との間の距離を両眼視差の基線長さとした立体画像を得るための画像を撮像する。
【手続補正４】
【補正対象書類名】明細書
【補正対象項目名】００２０
【補正方法】変更
【補正の内容】
【００２０】
ここで、『偏光状態』とは、電場及び磁場が特定の方向にのみ振動する光の状態を指し、『非偏光状態』とは、光の偏光に規則性が無く、直交している電場成分の位相関係が無秩序な光の状態を指す。また、『偏光子』とは、自然光（非偏光）や円偏光から直線偏光を作り出すものを指し、第１領域及び第２領域を構成する偏光子、それ自体は、周知の構成、構造の偏光子（偏光板）とすればよい。また、例えば、第１領域通過光及び第２領域通過光の一方の偏光成分を主としてＳ波（ＴＥ波）とし、第１領域通過光及び第２領域通過光の他方の偏光成分を主としてＰ波（ＴＭ波）とすればよい。第１領域通過光及び第２領域通過光の偏光状態は、直線偏光であってもよいし、円偏光（但し、回転方向が相互に逆の関係にある）であってもよい。一般に、振動方向が或る特定の向きだけの横波を偏光した波と呼び、この振動方向を偏光方向あるいは偏光軸と呼ぶ。光の電場の向きは偏光方向と一致する。消光比とは、第１領域通過光の電場の向きが第１の方向と平行である構成とする場合、第１領域にあっては、第１領域を通過する光に含まれる、電場の向きが第１の方向である光の成分と電場の向きが第２の方向である光の成分の割合であり、第２領域にあっては、第２領域を通過する光に含まれる、電場の向きが第２の方向である光の成分と電場の向きが第１の方向である光の成分の割合である。また、第１領域通過光の電場の向きが第１の方向と４５度の角度を成す構成とする場合、第１領域にあっては、第１領域を通過する光に含まれる、電場の向きが第１の方向と４５度の角度を成す光の成分と１３５度の角度を成す光の成分の割合であり、第２領域にあっては、第２領域を通過する光に含まれる、電場の向きが第１の方向と１３５度の角度を成す光の成分と４５度の角度を成す光の成分の割合である。また、第１領域通過光の電場の向きが第１の方向と任意の角度（β）を成す構成とする場合、第１領域にあっては、第１領域を通過する光に含まれる、電場の向きが第１の方向とβ度の角度を成す光の成分と（β＋９０）度の角度を成す光の成分の割合であり、第２領域にあっては、第２領域を通過する光に含まれる、電場の向きが第１の方向と（β＋９０）度の角度を成す光の成分とβ度の角度を成す光の成分の割合である。あるいは又、例えば、第１領域通過光の偏光成分が主としてＰ波であり、第２領域通過光の偏光成分が主としてＳ波である場合、第１領域にあっては、第１領域通過光に含まれるＰ偏光成分とＳ偏光成分の割合であり、第２領域にあっては、第２領域通過光に含まれるＳ偏光成分とＰ偏光成分の割合である。
【手続補正５】
【補正対象書類名】明細書
【補正対象項目名】００６５
【補正方法】変更
【補正の内容】
【００６５】
実施例６も実施例１の変形である。実施例６にあっては、消光比と視差の関係を調べた。即ち、左右分離した画像が混ざりあった場合、どこまで混ざれば視差がなくなるか、即ち、立体視できなくなるかを、消光比＝∞（０％クロストークであり、完全に、左眼用画像と右眼用画像が分離された状態）から、消光比＝１（５０％クロストークであり、左眼用画像と右眼用画像とが完全に混ざり合った状態であり、左眼用画像と右眼用画像とは同じ画像である）まで、消光比を変えて合成画像シミュレーションを行った。その結果、消光比＝∞の場合から、消光比１０（１０％クロストーク）、消光比＝３（２５％クロストーク）となるに従い、左眼用画像と右眼用画像の相違が少なくなり、消光比＝１にあっては左眼用画像と右眼用画像とでは同じとなった。そして、試験の結果から、偏光子の消光比は３以上であることが望ましいことが判った。
【手続補正６】
【補正対象書類名】明細書
【補正対象項目名】００９５
【補正方法】変更
【補正の内容】
【００９５】
尚、本開示は、以下のような構成を取ることもできる。
［１］《撮像装置：第１の態様》
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光の偏光状態と、第４領域を通過した第４領域通過光の偏光状態とは異なり、
第１領域通過光は第３領域を通過して撮像素子に到達し、第２領域通過光は第４領域を通過して撮像素子に到達し、以て、第１領域の重心点と第２領域の重心点との間の距離を両眼視差の基線長さとした立体画像を得るための画像を撮像する撮像装置。
［２］第１偏光手段はレンズ系の絞り部近傍に配置されている［１］に記載の撮像装置。
［３］第１偏光手段において、第１領域と第２領域との間には中央領域が設けられており、
中央領域を通過した中央領域通過光の偏光状態は、中央領域入射前と変化しない［１］又は［２］に記載の撮像装置。
［４］第１領域及び第２領域は偏光子から成り、
第１領域通過光の電場の向きと第２領域通過光の電場の向きとは直交している［１］乃至［３］のいずれか１項に記載の撮像装置。
［５］第１領域通過光の電場の向きは第１の方向と平行である［４］に記載の撮像装置。
［６］第１領域通過光の電場の向きは第１の方向と４５度の角度を成す［４］に記載の撮像装置。
［７］第１領域通過光の電場の向きと第３領域通過光の電場の向きとは平行であり、
第２領域通過光の電場の向きと第４領域通過光の電場の向きとは平行である［４］乃至［６］のいずれか１項に記載の撮像装置。
［８］偏光子の消光比は３以上である［４］乃至［７］のいずれか１項に記載の撮像装置。
［９］撮像素子は、カラーフィルタ、オンチップレンズ、及び、ワイヤグリッド偏光子が積層されて成り、
ワイヤグリッド偏光子が第３領域又は第４領域を構成する［４］乃至［８］のいずれか１項に記載の撮像装置。
［１０］撮像素子は、ワイヤグリッド偏光子、カラーフィルタ、及び、オンチップレンズが積層されて成り、
ワイヤグリッド偏光子が第３領域又は第４領域を構成する［４］乃至［８］のいずれか１項に記載の撮像装置。
［１１］ワイヤグリッド偏光子を構成する複数のワイヤの延びる方向は、第１の方向あるいは第２の方向と平行である［９］又は［１０］に記載の撮像装置。
［１２］第１偏光手段の光入射側には、四分の一波長板が配置されている［１］乃至［１１］のいずれか１項に記載の撮像装置。
［１３］第１偏光手段の光入射側には、四分の一波長板が配置されており、
四分の一波長板の速軸は、第１領域通過光の電場の向きと所定の角度を成す［５］又は［６］に記載の撮像装置。
［１４］四分の一波長板は、第１の方向あるいは第２の方向に沿って配列された第１の四分の一波長板及び第２の四分の一波長板から成り、
第１の四分の一波長板の速軸は、第１領域通過光の電場の向きと所定の角度を成し、
第２の四分の一波長板の速軸は、第１の四分の一波長板の速軸と直交している［５］又は［６］に記載の撮像装置。
［１５］所定の角度は４５度である［１３］又は［１４］に記載の撮像装置。
［１６］第１領域通過光の電場の向きと第３領域通過光の電場の向きとは平行であり、
第２領域通過光の電場の向きと第４領域通過光の電場の向きとは平行である［１３］乃至［１５］のいずれか１項に記載の撮像装置。
［１７］第１偏光手段はレンズ系に脱着自在に取り付けられており、
四分の一波長板はレンズ系に脱着自在に取り付けられている［１３］乃至［１６］のいずれか１項に記載の撮像装置。
［１８］四分の一波長板は第１偏光手段に隣接して配設されている［１３］乃至［１７］のいずれか１項に記載の撮像装置。
［１９］第１偏光手段の光入射側には、α度の偏光軸を有する偏光板が配置されており、
第１領域は第１波長板から成り、第２領域は第２波長板から成り、
第１領域通過光の電場の向きと第２領域通過光の電場の向きとは直交している［１］乃至［３］のいずれか１項に記載の撮像装置。
［２０］αの値は４５度であり、
第１波長板は半波長板から成り、
第２波長板は、第１波長板を構成する半波長板とは位相差の異なる半波長板から成る［１９］に記載の撮像装置。
［２１］撮像素子アレイはベイヤ配列を有し、１画素は４つの撮像素子から構成されており、
１画素に対して、１つの第３領域又は第４領域が配されている［１］乃至［２０］のいずれか１項に記載の撮像装置。
［２２］第１の方向に沿ってＮ個の画素（但し、Ｎ＝２nであり、ｎは１乃至５の自然数）に対して１つの第３領域及び１つの第４領域を配する［１］乃至［２１］のいずれか１項に記載の撮像装置。
［２３］《撮像方法：第１の態様》
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光の偏光状態と、第４領域を通過した第４領域通過光の偏光状態とは異なり、
第１領域通過光は第３領域を通過して撮像素子に到達し、第２領域通過光は第４領域を通過して撮像素子に到達し、以て、第１領域の重心点と第２領域の重心点との間の距離を両眼視差の基線長さとした立体画像を得るための画像を撮像する撮像装置を用いた撮像方法であって、
第３領域を通過して撮像素子に到達した第１領域通過光によって、右眼用画像を得るための電気信号を撮像素子において生成し、
第４領域を通過して撮像素子に到達した第２領域通過光によって、左眼用画像を得るための電気信号を撮像素子において生成し、
これらの電気信号を出力する撮像方法。
［２４］第１の方向に沿ってＮ個の画素（但し、Ｎ＝２nであり、ｎは１乃至５の自然数）に対して１つの第３領域及び１つの第４領域を配する［２３］に記載の撮像方法。
［２５］第３領域を通過した第１領域通過光によって得られる電気信号及び第４領域を通過した第２領域通過光によって得られる電気信号から生成されたデプスマップ、並びに、撮像素子アレイを構成する全撮像素子からの電気信号に基づき、右眼用画像を得るための画像データ、及び、左眼用画像を得るための画像データを得る［２４］に記載の撮像方法。
［２６］《撮像装置：第２の態様》
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光は偏光状態にあり、第４領域を通過した第４領域通過光は非偏光状態にあり、
第１領域通過光は第３領域を通過して撮像素子に到達し、第１領域通過光及び第２領域通過光は第４領域を通過して撮像素子に到達し、以て、第１領域の重心点と第１偏光手段の重心点との間の距離を両眼視差の基線長さとした立体画像を得るための画像を撮像する撮像装置。
［２７］《撮像方法：第２の態様》
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って交互に配置され、第２の方向に延びる複数の第３領域及び第４領域を有し、
第３領域を通過した第３領域通過光は偏光状態にあり、第４領域を通過した第４領域通過光は非偏光状態にあり、
第１領域通過光は第３領域を通過して撮像素子に到達し、第１領域通過光及び第２領域通過光は第４領域を通過して撮像素子に到達し、以て、第１領域の重心点と第１偏光手段の重心点との間の距離を両眼視差の基線長さとした立体画像を得るための画像を撮像する撮像装置を用いた撮像方法であって、
第３領域を通過して撮像素子に到達した第１領域通過光によって、右眼用及び左眼用のいずれか一方の画像を得るための電気信号を撮像素子において生成し、
第４領域を通過して撮像素子に到達した第１領域通過光及び第２領域通過光によって、右眼用及び左眼用のいずれか他方の画像を得るための電気信号を撮像素子において生成し、
これらの電気信号を出力する撮像方法。
【手続補正７】
【補正対象書類名】明細書
【補正対象項目名】００９６
【補正方法】変更
【補正の内容】
【００９６】
尚、上記［２６］に記載の本開示の第２の態様に係る撮像装置、及び、上記［２７］に記載の本開示の第２の態様に係る撮像方法は、以下のようにも表現することができる。
即ち、
［２６’］《撮像装置：第２の態様》
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って離間して配置され、第２の方向に延びる複数の第３領域を有し、
第３領域を通過した第３領域通過光は偏光状態にあり、第２偏光手段において第３領域以外の領域を通過した光は非偏光状態にあり、
第１領域通過光は第３領域を通過して撮像素子に到達し、第１領域通過光及び第２領域通過光は、第２偏光手段において第３領域以外の領域を通過して撮像素子に到達し、以て、第１領域の重心点と第１偏光手段の重心点との間の距離を両眼視差の基線長さとした立体画像を得るための画像を撮像する撮像装置。
［２７’］《撮像方法：第２の態様》
（Ａ）被写体からの光を偏光させる第１偏光手段、
（Ｂ）第１偏光手段からの光を集光するレンズ系、並びに、
（Ｃ）第１の方向、及び、第１の方向と直交する第２の方向に２次元マトリクス状に撮像素子が配列されて成り、光入射側に第２偏光手段を有し、レンズ系によって集光された光を電気信号に変換する撮像素子アレイ、
を具備し、
第１偏光手段は、第１の方向に沿って配列された第１領域及び第２領域を有し、
第１領域を通過した第１領域通過光の偏光状態と、第２領域を通過した第２領域通過光の偏光状態とは異なり、
第２偏光手段は、第１の方向に沿って離間して配置され、第２の方向に延びる複数の第３領域を有し、
第３領域を通過した第３領域通過光は偏光状態にあり、第２偏光手段において第３領域以外の領域を通過した光は非偏光状態にあり、
第１領域通過光は第３領域を通過して撮像素子に到達し、第１領域通過光及び第２領域通過光は、第２偏光手段において第３領域以外の領域を通過して撮像素子に到達し、以て、第１領域の重心点と第１偏光手段の重心点との間の距離を両眼視差の基線長さとした立体画像を得るための画像を撮像する撮像装置を用いた撮像方法であって、
第３領域を通過して撮像素子に到達した第１領域通過光によって、右眼用及び左眼用のいずれか一方の画像を得るための電気信号を撮像素子において生成し、
第２偏光手段において第３領域以外の領域を通過して撮像素子に到達した第１領域通過光及び第２領域通過光によって、右眼用及び左眼用のいずれか他方の画像を得るための電気信号を撮像素子において生成し、
これらの電気信号を出力する撮像方法。